(57)【要約】【課題】ユーザが記録媒体の交換可能期間を容易に把握することができ、複数の記録媒体への連続記録の際におけるユーザの利便性を向上させる。【解決手段】記録媒体１０１への取得情報の記録動作中にその残記録容量を計測し、計測された記録媒体１０１の残記録容量が所定値以下である場合、記録媒体１０１から他の記録媒体への交換可能期間を表示器２１４上で表示させる。【選択図】  図１
2004242104.tif 000002
【特許請求の範囲】
【請求項１】
装着される記録媒体に対して取得情報の記録動作を行う記録制御手段と、
前記記録制御手段による前記記録媒体への取得情報の記録動作中に、前記記録媒体の残記録容量を計測する記録容量計測手段と、
前記記録容量計測手段により計測された前記記録媒体の残記録容量が所定値以下であるか否かを判断する判断手段と、
前記判断手段により前記残記録容量が前記所定値以下であると判断された場合、前記記録媒体から他の記録媒体への交換可能期間を表示手段上で表示させる表示制御手段とを有することを特徴とする記録装置。
【発明の詳細な説明】
【０００１】
【発明の属する技術分野】
本発明は、例えば１スロットのリムーバブルメディアを装着可能な記録装置に関し、特に、動画連続記録の際におけるメディア交換の利便性を向上させる記録媒体に関するものである。
【０００２】
【従来の技術】
従来、１つのテープ媒体を用いたビデオカメラなどの記録再生装置において、１シーンを連続記録している時、テープ残量が少なくなってきた場合、テープ残量警告表示やテープの残量時間表示を表示して、操作者に残量が少なくなっていることを通知していた。この通知により、操作者は、記録動作を終了し、新しいテープに交換し、テープ装着後、記録を開始することをしていた。
【０００３】
近年、記録媒体にハードディスク、磁気ディスク、固体メモリ等を用いたビデオカメラが製品化されはじめた。前記記録媒体を使用したビデオカメラ等では、各シーンが、ファイルとして記録媒体に保存できるため、再生時、各シーンのアクセスが比較的、容易かつ高速である点に特徴がある。特に、固体メモリはテープ媒体に比較して、小型化が可能なため、装置全体の小型化ができるため、今後の記録媒体として大きな期待がもたれている。この種の技術として、特開平１０−１２６６６２号公報に開示された技術がある。
【０００４】
【特許文献１】
特開平１０−１２６６６２号公報
【０００５】
【発明が解決しようとする課題】
しかしながら、一般にビデオカメラのテープ媒体は、テープの装填に数十秒の時間を要してしまうため、連続撮影を行いたいシーンにおいても、数十秒の空白期間ができてしまう。テープ媒体の代わりにメモリカードのような固体メモリを使用する場合、テープ装填ほどの時間は要しないが、やはり、空白期間が発生する。この空白期間を解消するために、媒体交換中、バッファメモリのような一時記憶手段に記録を切り替え、新たな媒体に再記録することが提案されている。
【０００６】
しかし、上記のようにバッファメモリに記録先を切り替え、その後、交換後の記録媒体に再記録を行うことだけでは、ユーザは記録媒体の交換のために許された期間を把握することができない。さらに、固体メモリの記憶容量は、現状ではテープ媒体と比較すれば非常に少なく、媒体交換の頻度が高くなる。よって、連続記録時に記録媒体を交換する際には、記録媒体の交換可否を容易に把握できる等、更なる利便性の向上が求められている。
【０００７】
従って、本発明の目的は、ユーザが記録媒体の交換可能期間を容易に把握することができ、複数の記録媒体への連続記録の際におけるユーザの利便性を向上させることにある。
【０００８】
【課題を解決するための手段】
斯かる目的を達成するために、本発明の記録装置は、装着される記録媒体に対して取得情報の記録動作を行う記録制御手段と、前記記録制御手段による前記記録媒体への取得情報の記録動作中に、前記記録媒体の残記録容量を計測する記録容量計測手段と、前記記録容量計測手段により計測された前記記録媒体の残記録容量が所定値以下であるか否かを判断する判断手段と、前記判断手段により前記残記録容量が前記所定値以下であると判断された場合、前記記録媒体から他の記録媒体への交換可能期間を表示手段上で表示させる表示制御手段とを有することを特徴とする。
【０００９】
【発明の実施の形態】
以下、本発明の好適な実施形態を、添付図面を参照しながら詳細に説明する。
図１は、本発明の一実施形態である記録再生装置の構成を示したブロック図である。同図において、２００は撮像装置のブロック全体、２０１は映像を取り込むレンズ、２０２は映像を電気信号に変換する固体センサ、２０３は映像信号をデジタルデータに変換するＡ／Ｄコンバータ、２０４はレンズ２０１を駆動するモータ、２０９は音声を取り込むマイク、２１０は音声を増幅するマイクアンプ、２１１は音声をデジタルデータに変換するＡ／Ｄコンバータ、２１２は撮像装置２００を操作する操作キー、２１３は映像を表示形式にする表示ドライバ、２１４は映像を表示するためのＬＣＤ、ＥＶＦ等の表示器、２１５は音声を出力するためのスピーカドライバ、２１６はスピーカ、２１７は諸情報を入出力する入出力端子、２２３は記録再生制御回路、２２４は各種のセンサ、１０１は記憶媒体、２２５は記録媒体１０１を収納するソケット、２３０はシステムを制御するＣＰＵ、２２２は前記ＣＰＵとシステムのためのメモリ、２２１は撮像装置のための電源装置である。
【００１０】
まず、図１のブロック図を用いて、本実施形態の記録再生装置による基本的な記録動作を説明する。
画像記録動作は、レンズ２０１を通って入射した被写体からの光は、固体センサ２０２で電気信号に変換される。そして、Ａ／Ｄ変換２０３によってサンプリングされてデジタルデータに変換される。前記デジタルデータは、デジタル映像信号としてＣＰＵ２３０に入力される。レンズ２０１は、オートフォーカス機能とズーム機能のため、ＣＰＵ２３０の制御命令でモータ２０４の駆動により移動する。また、固体センサ２０２からデータを引き出すためのタイミング信号は、ＣＰＵ２３０により生成される。
【００１１】
音声については、マイク２０９より得られた音声信号がマイクアンプ２１０で増幅され、Ａ／Ｄ変換器２１１によりサンプリングされてデジタルデータに変換され、ＣＰＵ２３０に入力される。デジタル映像信号に対しては、ＣＰＵ２３０において、色分離、白バランス、ガンマ補正、アパーチャ補正などの基本処理と、撮像装置２００の操作キー２１２で設定された、画像サイズ、画質調整、位置調整などの付加処理が行われる。さらに、デジタル映像信号に対しては、設定された圧縮方法と圧縮パラメータによってＭＰＥＧ、ＭＪＰＥＧ、ＪＰＥＧ、ＪＰＥＧ２０００等の画像圧縮処理が行われ、画像圧縮データを得る。
【００１２】
音声データは、ＣＰＵ２３０において、撮像装置２００の操作キー２１２で設定された、音質調整などの付加処理が行われ、設定された圧縮方法と圧縮パラメータによって音声圧縮データを得る。画像圧縮データと音声圧縮データは、制御データと共に記録データとして記録再生制御回路２２３へと送られる。なお、前記制御データとは、撮像装置自体の情報、画像、音声などの記録設定情報、撮影履歴や撮影環境情報などの撮影付加情報、使用記録媒体などの媒体情報などを意味する。
【００１３】
記録再生制御回路２２３は、記録時には前記記録データを、ＵＤＦ、ＦＡＴ、ＥＸＴ２等のファイルシステム管理のもとに、ファイルとして記録媒体１０１に書き込みを行う。ファイルシステムとは、ファイルの管理を行うための管理情報とファイルデータからなる構造体系を意味する。このファイルシステムを共通化することによって、異なった記憶媒体あるいは記録再生機器でも記録再生できるわけである。前記記録データは、必要に応じて外部入出力端子２１７に送られる。さらに、確認用として、表示ドライバ２１３を通して、表示器２１４に表示される。
【００１４】
撮像装置２００の電源は、電源２２１より供給され各回路ブロックに供給される。記録媒体１０１としては、ＭＭＣ、ＳＳＦＤＣ、コンパクトフラッシュ（Ｒ）、ＳＤ、ＰＣカードなどのメモリカード、あるいはハードディスク、ＣＤ−ＲＷ、ＦＤ、ＭＤ、ＤＶＤ−ＲＡＭなどの磁気（あるいは光磁気）記録メディアなどが考えられる。これらの記録媒体は、ソケット２２５に接続されており、操作者によって着脱が可能となっている。ソケットの形状を複数種類の記録媒体に対応することで、複数の種類の記録媒体を使用することが可能である。
【００１５】
記録媒体には、記録情報データ領域と管理データ領域があり、記録データ領域には、画像、音声、テキストなどのコンテンツ自体のデータが格納される。管理データ領域には、ファイルシステム、記録媒体のＩＤ、各ファイル（記録シーン）の属性、ファイルデータの実際の書かれている位置（セクタあるいはトラック）等が記録される。また、管理データ領域内には、各ファイルのインデックス画像、各ファイルのグループ管理ファイル、撮影（記録）付加情報、プレイリスト（再生リスト）、後述する記録媒体の更新履歴情報などが記録される。
【００１６】
前記グループ管理ファイルについて説明する。記録媒体に記録される各ファイルを任意のグループに登録して管理するためのファイルがグループ管理ファイルである。グループは一階層あるいは複数の階層が存在していてもよい。ファイル形式は、バイナリまたはスクリプトファイルのどちらでもよく、グループ管理ファイル自体が複数存在することも考えられる。グループ管理ファイルへの登録は、記録時に任意のグループで自動登録することや、記録後にグループ管理ファイルへの登録機能をもつこと、さらに、外部機器、ネットワーク経由でグループ管理ファイル編集操作をすることも可能である。
【００１７】
また、プレイリスト（再生リスト）について説明する。記録媒体に記録される各ファイルを、その再生方法とともに記述して管理するファイルがプレイリストである。ファイル形式は、バイナリまたはスクリプトファイルのどちらでもよく、プレイリスト自体が複数存在することも考えられる。プレイリストへの登録対象となる新規情報の作成処理、その登録処理及びプレイリストの編集処理は、ファイルの記録媒体への記録時に自動的に実行することや、ファイルの記録媒体への記録後に上記新規情報の作成処理、登録処理及び編集処理を実行することや、外部機器を操作することによりネットワーク経由で上記新規情報の作成処理、登録処理及び編集処理を実行すること等が考えられる。また、再生方法として、各ファイルの再生順序、再生時間、再生エフェクト、再生ファイル間のエフェクト、任意の位置、区間でのリンク機能等がプレイリストへの記述が可能である。
【００１８】
撮像装置２００は、操作キー２１２内の撮影開始及び終了スイッチを操作することにより、映像データ及び音声データを取得すると、撮像装置２００の規約に準じた、ファイル名の付いたファイルとして、記録媒体１０１に保存される。この連続記録された保存ファイルが１つのシーンとして順次記録されていくわけである。前記ファイルには、ＭＰＥＧ等の動画圧縮ファイルの他に，音声圧縮ファイル、付加情報データ、動画データのインデックス画像となる静止画圧縮データなども保存される。
【００１９】
次に、図１のブロック図において、単一ファイルを対象とした基本的な撮像装置２００の再生動作を説明する。記録媒体１０１に記録されているファイル群の中で、操作者が選択したファイルを再生する場合、記録再生制御回路２２３の制御のもとに、ソケット２２５に挿入されている記録媒体１０１から指定ファイルが読み込まれる。
【００２０】
読み込まれたデータは、ＣＰＵ２３０に送られ、読み込まれたデータの解析、分離がなされ、画像データ部、音声データ部、情報データ部等に分解される。画像データ部は、圧縮データならば伸張処理が行われ、表示ドライバ２１３を通して表示器２１４で表示される。音声データ部は、圧縮データならば伸張処理が行われ、スピーカドライバ２１５を通してスピーカ２１６に送られる。情報データ内容によっては、画像データ、音声データのエフェクト、レタッチなどの加工処理がなされる。また、必要に応じて、表示器２１４に表示される。また、前記画像、音声、情報データは、外部入力端子２１７にも送られる。
【００２１】
次に、本実施形態の特徴である、連続動画記録中における記録媒体の着脱動作について図２を用いて説明する。
図２は、時間軸ｔにおいて、連続記録動作を行っている最中、記録媒体を交換する様子を表している。まず、記録媒体Ａに対して動画像データを記録している最中、記録媒体Ａの残量が所定以下になったことを検出した時点（Ｔ１）から、記録媒体Ａに対する動画像データの書き込みと平行して、メモリ２２２などの内部メモリに対しても動画像データの書き込みを行う。これと同時に、表示器２２４に記録媒体の交換有効期間を表示し、書き込みデータ量と、内部メモリ２２２の容量、記録媒体Ａの残量等を計測して、交換有効期間のカウントダウンを行う。従って、記録媒体の交換タイミングが的確に把握できる。
【００２２】
操作者がＴ２時点で記録媒体Ａを外してからは内部メモリ２２２に記録を行い続け、交換有効期間を、書き込みデータ量と、内部メモリの容量等を計測して、交換有効期間のカウントダウンを継続する。Ｔ３時点で記録媒体Ｂが装着された時、交換有効期間のカウントダウンを終了する。
【００２３】
また、記録媒体Ｂに対し、Ｔ３以降の動画像データの書き込みを行うとともに、Ｔ２からＴ３の記録媒体未装着期間の間に得られた動画像データをメモリ２２２から読み出して記録する。さらに、記録媒体Ａに記録されているＴ１からＴ２の動画像データを、記録媒体Ｂにもオーバーラップして記録する。また、記録媒体Ａに記録されたサムネイル画像Ｓ１，Ｓ２，Ｓ３，Ｓ４を読み出して記録媒体Ｂに記録する。さらに、これらの継続履歴を管理する管理情報を記録媒体Ｂに記録する。
【００２４】
図３は、図２におけるＴ１からＴ３までの表示器２２４上での画面表示例を示した図である。
図３中、３０２は記録しているファイル名、３０３は当該ファイルの現時点までの記録時間、３０１は既に説明した交換有効期間のカウントダウンを表しており、最大５分の有効期間中、現在３分が経過していることを示している。これにより、操作者は記録媒体を交換できることが一目で把握できる。３０４は、ファイルが連続記録されている記録媒体の交換履歴を示している。ＩＤは使用された記録媒体の固有番号を示し、ｍｉｎは記録時間を示す。本例では、“ｆｉｌｅ００２３”という記録ファイルを、記録媒体“ＩＤ：１２３４５”に３５分記録、次に記録媒体“ＩＤ：２３２５７”に１００分記録して、次の記録媒体を要求している状態を表示している。
【００２５】
図４は、記録媒体“ＩＤ：１２３４５”及び記録媒体“ＩＤ：２３２５７”に対するファイルの記録状況を経時的に示した図である。図４に示すように、記録媒体“ＩＤ：１２３４５”に先ず当該ファイルが３５分記録され、その記録動作の途中で記録媒体“ＩＤ：２３２５７”に当該ファイルが１００分記録される。記録媒体“ＩＤ：１２３４５”の当該ファイルの最終記録部分が、記録媒体ＩＤ：２３２５７に“Ｔ”時間オーバーラップしていることが分かる。
【００２６】
図８は、記録媒体交換時に交換後の記録媒体に付加される管理情報の例を示した図であり、データ内容（Ｃｏｎｔｅｎｔ）、データ（Ｄａｔａ）及び使用データ長（ｂｙｔｅ）が記載されている。“ｖｅｒｓｉｏｎ”は、管理情報ファイルのバージョンであり、ここではデータ内容として“０ｘ０００２”、使用データ長として“４バイト”が示されている。“ｆｉｌｅｎａｍｅ”は、連続記録されているファイル名であり、ここではデータ内容として“ＦＩＬＥ００１．ＭＯＶ”、使用データ長として“３２バイト”が示されている。“Ｍｅｄｉａ−ｎｕｍｂｅｒ”は、連続記録されている記録媒体の数であり、ここではデータ内容として“２”、使用データ長として“２バイト”が示されている。
【００２７】
また、１つ目の記録媒体“Ｍｅｄｉａ−１”、２つ目の記録媒体“Ｍｅｄｉａ−２”に関する情報もこの管理情報に登録されている。“Ｍｅｄｉａ−１”は、上記のように１つ目の記録媒体を示す。“ＩＤ”は記録媒体“Ｍｅｄｉａ−１”固有のＩＤ情報であり、ここではデータ内容として“１２３４”、使用データ長として“４バイト”が示されている。
【００２８】
“ｒｅｃ−ｔｉｍｅ”は、記録媒体“Ｍｅｄｉａ−１”での記録時間を示し、ここではデータ内容として“３５分”、使用データ長として“４バイト”が示されている。“ｓｔａｒｔ−ｔｉｍｅ”は、記録媒体“Ｍｅｄｉａ−１”での記録開始時間位置を示し、ここではデータ内容として“８５分”、使用データ長として“４バイト”が示されている。“ｓｔｏｐ−ｔｉｍｅ”は、記録媒体“Ｍｅｄｉａ−１”での記録終了時間位置を示し、ここではデータ内容として“１２０分”、使用データ長として“４バイト”が示されている。“ｏｖｅｒｌａｐ”は、次の記録媒体“Ｍｅｄｉａ−２”とオーバーラップして記録された時間を示し、ここではデータ内容として“５分”、使用データ長として“２バイト”が示されている。
【００２９】
“ｃｏｍｍｅｎｔ”は、記録ファイルのコメント情報であり、ここではデータ内容として“ｓｋｉ”、使用データ長として“３６バイト”が示されている。“ｔｈｕｍｂｎａｉ−ｎｕｍｂｅｒ”は、記録データのインデックス枚数であり、データ内容として“３”、使用データ長として“２バイト”が示されている。“ｔｈｕｍｂｎａｉｌ−１”は１つ目のインデックスのことであり、“ｐｏｉｎｔｅｒ”は、インデックスが記録されている記録媒体“Ｍｅｄｉａ−１”のアドレス値であり、ここではデータ内容として“０ｘ０１００”、使用データ長として“４バイト”が示されている。
【００３０】
“ｄａｔａ”は、インデックスデータ本体であり、ここでは使用データ長として“０ｘ１００バイト”が示されている。“ｔｉｍｅ”は、インデックスデータの時間であり、ここではデータ内容として“０ｘ０２０１０１０１０１０１”、使用データ長として“１２バイト”が示されている。“ｔｈｕｍｂｎａｉｌ−２”、“ｔｈｕｍｂｎａｉｌ−３”についても同様の内容が管理情報に記録されている。
【００３１】
また、２つ目の記録媒体“Ｍｅｄｉａ−２”についても、記録媒体“Ｍｅｄｉａ−１”と同様の内容が管理情報に記録されている。これらの情報を有する管理情報が、次の記録媒体、即ち３つ目の記録媒体に管理情報として付加される。従って、交換された記録媒体間のデータ管理を的確に行うことができる。
【００３２】
次に、以上のように記録された記録媒体の再生方法について説明する。
図５は、記録媒体ＩＤ：３３３４７の記録情報を再生する際における初期表示画面を示した図である。この記録媒体では、ファイル名が“ＦＩＬＥ０００１．ｍｏｖ”、・・・、“ＦＩＬＥ０００８．ｍｏｖ”、・・・が記録されていることを示す。その中で“ＦＩＬＥ０００１．ｍｏｖ”は、連続記録が行われている中、記録媒体の交換が行われたこと表す“メディア交換有り”が表示されている。このファイルを選択して、再生実行を行った表示画面例を図６、図７を用いて説明する。
【００３３】
図６の４０２は再生ファイル名を示し、４０３はファイル“ＦＩＬＥ０００１．ｍｏｖ”、の総記録時間、４０４は交換前の記録媒体ＩＤを示し、４０５は交換後（現在装着されている）記録媒体ＩＤを示す。４０１は再生位置を表すスライドバーであり、Ａ点はオーバーラップ記録の終了位置、Ｂ点は交換装着された位置を示す。オーバーラップ記録Ａ点までの再生では、画面左部分において、交換前の記録媒体にも記録されているサムネイル画像Ｓ１、Ｓ２、Ｓ３、Ｓ４とオーバーラップ記録された動画（オーバーラップ動画）が表示される。右部分においては、Ａ点あるいはＢ点での静止画、またはオーバーラップ動画が表示される。このあと再生が継続され、Ａ点あるいはＢ点を経過した場合、図７に示すように、交換前の記録媒体に記録された情報を消して画面表示がなされる。これにより、連続記録中に記録媒体が交換され、異なる記録媒体間で重複して記録されている記録データと、自記録媒体での記録データの区別を容易に把握することができる。
【００３４】
次に、図９を参照しながら本実施形態の記録再生装置の動作の流れについて説明する。
先ず、Ｓ１０１にて、映像データ及び音声データの記録動作を開始する。次に、Ｓ１０２にて、各種初期設定が行われ実記録動作が開始される。Ｓ１０３にて記録動作の停止命令があるか判別する。停止要求があれば、Ｓ１２０にて、記録終了処理を行い、Ｓ１５０にて記録動作を終了する。Ｓ１０３にて停止要求がなければＳ１０４で記録媒体の残量計測を行い、Ｓ１０５にて、所定値１と比較する。所定値１以上の残量があれば、Ｓ１０３へ戻り繰り返し処理をする。所定値１以下になった場合、Ｓ１０６にて、記録媒体に対する動画像データの書き込みを続けながら、内部メモリに対する動画像データの書き込みを開始し、表示器等に記録媒体の交換可能期間のカウントダウン表示を開始する。
【００３５】
Ｓ１０７にて、記録データと内部メモリ等の容量から、交換可能期間を計測してカウントダウンを行う。Ｓ１０９にて、記録媒体の残量がゼロあるいは所定値２以下になった場合、Ｓ１２０で強制的に記録終了処理へと遷移する。一方で、残量がゼロでない、あるいは所定値２以上であれば、Ｓ１１０にて記録媒体が装着されているか判定する。装着されていなければ（記録媒体の交換のため記録媒体が外された場合）、Ｓ１０７にてカウントダウンを継続する。
【００３６】
Ｓ１１１にて、記録媒体が装着され、かつ新規記録媒体であれば、Ｓ１１２にて交換前の記録媒体に記録されたデータのインデックス情報、交換前の記録媒体とオーバーラップした記録データ、記録媒体交換期間の記録データ、これらの追記データの管理情報を新規記録媒体に付加記録する。そして、Ｓ１０３に戻り、繰り返し処理をおこなう。
【００３７】
以上の動作を行うことによって、交換有効期間のカウントダウンは、的確かつ安全な記録媒体の交換が保証される。また、交換前の記録媒体に記録されている記録データの一部を、交換後の記録媒体にオーバーラップして記録するとともに、交換前の記録媒体に記録されたサムネイル画像を記録する。そして、これらの継続履歴を管理する管理情報を交換後の記録媒体に記録することで、記録媒体間での記録データの連続性が容易に把握できる。さらに、前記オーバーラップして記録された部分と、そうでない部分の表示を変えることで、記録媒体に記録されたデータの実体部分を容易に把握できる効果がある。特に、民生用ビデオカメラ等では、従来になかった高付加価値のある機能を提供できる効果がある。
【００３８】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３９】
この場合、記憶媒体から読み出されたプログラムコード自体が前述した実施形態の機能を実現することになり、プログラムコード自体及びそのプログラムコードを記憶した記憶媒体は本発明を構成することになる。
【００４０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４１】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【００４２】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００４３】
ここで、本発明の実施態様を以下に列挙する。
［実施態様１］装着される記録媒体に対して取得情報の記録動作を行う記録制御手段と、
前記記録制御手段による前記記録媒体への取得情報の記録動作中に、前記記録媒体の残記録容量を計測する記録容量計測手段と、
前記記録容量計測手段により計測された前記記録媒体の残記録容量が所定値以下であるか否かを判断する判断手段と、
前記判断手段により前記残記録容量が前記所定値以下であると判断された場合、前記記録媒体から他の記録媒体への交換可能期間を表示手段上で表示させる表示制御手段とを有することを特徴とする記録装置。
【００４４】
［実施態様２］前記記録制御手段は、前記記録媒体から前記他の記録媒体に交換された場合、前記記録媒体から前記他の記録媒体への交換期間中における取得情報と、以降の取得情報とを少なくとも前記他の記録媒体に記録することを特徴とする実施態様１に記載の記録装置。
【００４５】
［実施態様３］前記記録制御手段は、前記記録媒体の記録情報の一部を更に前記他の記録媒体に記録することを特徴とする実施態様２に記載の記録装置。
【００４６】
［実施態様４］前記記録制御手段は、前記記録媒体の記録情報の一部として、前記記録媒体の記録情報の最終部分を前記他の記録媒体に記録することを特徴とする実施態様３に記載の記録装置。
【００４７】
［実施態様５］前記記録制御手段は、前記記録媒体の記録情報の一部として、前記記録媒体の記録情報内における一又は複数の代表情報を前記他の記録媒体に記録することを特徴とする実施態様３又は４に記載の記録装置。
【００４８】
［実施態様６］前記記録制御手段は、前記記録媒体を含む連続記録動作に関わった一又は複数の記録媒体の記録情報に係る管理情報を、前記他の記録媒体に記録することを特徴とする実施態様１〜５の何れか１項に記載の記録装置。
【００４９】
［実施態様７］装着される記録媒体の記録情報を再生する再生制御手段を更に有し、
前記再生制御手段は、再生対象の記録媒体と異なる記録媒体の記録情報と重複している記録情報と、重複していない記録情報とが前記再生対象の記録媒体に記録されている場合、前記重複している記録情報と前記重複していない記録情報とを異なる表示方法で再生することを特徴とする実施態様１〜６の何れか１項に記載の記録装置。
【００５０】
［実施態様８］音声データを入力する音声入力手段と、
画像データを入力する画像入力手段とを更に有し、
前記記録制御手段は、前記音声データ及び前記画像データのうちの少なくとも何れか１つを記録媒体に記録することを特徴とする実施態様１〜７の何れか１項に記載の記録装置。
【００５１】
［実施態様９］装着される記録媒体に対して取得情報の記録動作を行う記録装置の制御方法であって、
前記記録媒体への取得情報の記録動作中に、前記記録媒体の残記録容量を計測手段にて計測し、
前記計測手段により計測された前記記録媒体の残記録容量が所定値以下であるか否かを判断手段にて判断し、
前記判断手段により前記残記録容量が前記所定値以下であると判断された場合、前記記録媒体から他の記録媒体への交換可能期間を表示手段上で表示させることを特徴とする記録装置の制御方法。
【００５２】
［実施態様１０］実施態様９に記載の記録装置の制御方法をコンピュータに実行させるためのプログラム。
【００５３】
［実施態様１１］実施態様１０に記載のプログラムを記録したコンピュータ読み取り可能な記録媒体。
【００５４】
【発明の効果】
本発明によれば、記録媒体の交換可能期間を表示させ、ユーザが記録媒体の交換の可否を容易に把握することが可能となるので、複数の記録媒体への連続記録の際におけるユーザの利便性を向上させることが可能となる。
【図面の簡単な説明】
【図１】本発明の一実施形態である記録再生装置の構成を示したブロック図である。
【図２】連続動画記録中における記録媒体の着脱動作を説明するための図である。
【図３】図２におけるＴ１からＴ３までの表示器上での画面表示例を示した図である。
【図４】交換前の記録媒体及び交換後の記録媒体に対するファイルの記録状況を経時的に示した図である。
【図５】或る記録媒体記（録媒体ＩＤ：３３３４７）の記録情報を再生する際における初期表示画面を示した図である。
【図６】交換後の記録媒体のファイル再生時における表示画面例を示した図である。
【図７】交換後の記録媒体のファイル再生時における表示画面例を示した図である。
【図８】記録媒体交換時に交換後の記録媒体に付加される管理情報の例を示した図である。
【図９】本発明の一実施形態における記録再生装置の動作の流れを示したフローチャートである。
【符号の説明】
２００  撮像装置全体
２０１  レンズ
２０２  固体センサ
２０３  Ａ／Ｄコンバータ
２０４  モータ
２０９  マイク
２１０  マイクアンプ
２１１  Ａ／Ｄコンバータ
２１２  操作キー
２１３  表示ドライバ
２１４  表示器
２１５  スピーカドライバ
２１６  スピーカ
２１７  外部入出力端子
２２１  電源
２２２  メモリ
２２３  記録再生制御回路
２２４  センサ
２２５  ソケット
２３０  ＣＰＵ
１０１  記憶媒体１
【図１】
2004242104.tif 000003
【図２】
2004242104.tif 000004
【図３】
2004242104.tif 000005
【図４】
2004242104.tif 000006
【図５】
2004242104.tif 000007
【図６】
2004242104.tif 000008
【図７】
2004242104.tif 000009
【図８】
2004242104.tif 000010
【図９】
2004242104.tif 000011